(57)【要約】【課題】浴槽や浴室に制限されずに肩湯を愉しむことができる安価な肩湯システムを提供すること【解決手段】浴槽２に設けられた循環口３と、追い焚き機能を有する給湯器４と、循環口３から給湯器４へ浴槽２の風呂湯Ｘを供給する復路配管５と、給湯器４で加熱された風呂湯Ｘを給湯器４から循環口３へ供給する第１往路配管６と、第１往路配管６に配設される三方弁７と、入浴者の肩に当てる肩湯Ｙを吐出する肩湯吐出口８ｃと、肩湯吐出口８ｃと三方弁７とを接続する第２往路配管９と、を備える肩湯システム１において、肩湯吐出口８ｃを備え、浴室の壁Ｗに取り付けられる肩湯装置８を有すること、三方弁７と第２往路配管９が浴室の外部に配設されていることを特徴とする。【選択図】図１
2017124042.tif 000002
【特許請求の範囲】
【請求項１】
浴槽に設けられた循環口と、追い焚き機能を有する給湯器と、前記循環口から前記給湯器へ前記浴槽の風呂湯を供給する復路配管と、前記給湯器で加熱された前記風呂湯を前記給湯器から前記循環口へ供給する第１往路配管と、前記第１往路配管に配設される三方弁と、入浴者の肩に当てる肩湯を吐出する肩湯吐出口と、前記肩湯吐出口と前記三方弁とを接続する第２往路配管と、を備える肩湯システムにおいて、
前記肩湯吐出口を備え、浴室の壁に取り付けられる肩湯装置を有すること、
前記三方弁と前記第２往路配管が前記浴室の外部に配設されていること
を特徴とする肩湯システム。
【請求項２】
請求項１に記載する肩湯システムにおいて、
前記給湯器と前記第２往路配管とを接続し、前記給湯器で加熱された止水を前記給湯器から前記第２往路配管に供給する第３往路配管と、
前記第３往路配管に配設される開閉弁と、
前記風呂湯を前記肩湯として使用する第１モードと前記止水を前記肩湯として使用する第２モードの何れかを設定するモード設定手段と、
前記モード設定手段が前記第１モードを設定している場合には、前記三方弁に前記第１往路配管と前記第２往路配管とを導通させるように動作させると共に、前記開閉弁に弁閉動作させる一方、前記モード設定手段が前記第２モードを設定している場合には、前記三方弁に前記第１往路配管と前記第２往路配管とを導通させないように動作させると共に、前記開閉弁に弁開動作させるバルブ制御手段と、を有すること
を特徴とする肩湯システム。
【請求項３】
請求項１又は請求項２に記載する肩湯システムにおいて、
前記肩湯吐出口から吐出される前記肩湯の肩湯温度を設定する肩湯温度設定手段と、
前記循環口から前記浴槽に供給する前記風呂湯の風呂温度を設定する風呂温度設定手段と、
前記肩湯装置に供給する前記風呂湯又は前記止水を前記肩湯温度に加熱する一方、前記循環口に供給する前記風呂湯を前記風呂温度に加熱する温度変更手段と、を有すること
を特徴とする肩湯システム。
【請求項４】
請求項２又は請求項３に記載する肩湯システムにおいて、
前記第２モードが設定されている場合に、前記肩湯装置からミストを発生させるミスト発生手段を有する
を特徴とする肩湯システム。
【請求項５】
請求項１乃至請求項４の何れか一つに記載する肩湯システムにおいて、
前記肩湯を入浴者に当てる強さを変更する強度変更手段を有すること
を特徴とする肩湯システム。
【請求項６】
請求項５に記載する肩湯システムにおいて、
前記強度変更手段は、前記肩湯装置に供給する前記風呂湯又は前記止水の流量を変更する流量変更手段を有すること
を特徴とする肩湯システム。
【請求項７】
請求項５に記載する肩湯システムにおいて、
前記強度変更手段は、前記肩湯吐出口から吐出される前記肩湯の形状を変更することにより、前記肩湯を入浴者に当てる強さを変更するものであること
を特徴とする肩湯システム。
【請求項８】
請求項１乃至請求項７の何れか一つに記載する肩湯システムにおいて、
前記肩湯吐出口から前記肩湯を吐出する場合に、前記浴槽の風呂湯を半身浴に適した半身浴水位に調整する水位調整手段を有すること
を特徴とする肩湯システム。
【請求項９】
請求項１乃至請求項８の何れか一つに記載する肩湯システムにおいて、
前記肩湯装置は、前記肩湯吐出口の形状を変更する肩湯吐出口形状変更手段を有すること
を特徴とする肩湯システム。
【発明の詳細な説明】
【技術分野】
【０００１】
本発明は、入浴者の肩に湯を当てる肩湯システムに関する。
【背景技術】
【０００２】
肩や首の後ろを温めると、血行が良くなり、肩凝りや冷え性が改善されることが知られている。そこで、例えば図１２に示すように、浴槽１０１の風呂湯に浸かる入浴者の肩や首筋に湯を当てる肩湯システム１００が知られている。以下、本明細書において、この入浴者の肩や首筋に当てる湯を「肩湯」という。
【０００３】
浴槽１０１の風呂湯は、循環口１０２、第１復路配管１０４、給湯器１０３、第１往路配管１０５を循環することにより、追い焚きされる。従来の肩湯システム１００は、第１往路配管１０５に配設された三方弁１０６の操作レバー１０６ａを操作して肩湯を開始すると、給湯器１０３で追い焚きされた風呂湯が、第１往路配管１０５から三方弁１０６を介して第２往路配管１０７へ流れ、浴槽１０１に一体に設けられた肩湯吐出口１０８から肩湯として吐出される。三方弁１０６と第２往路配管１０７は、浴室の壁Ｗと浴槽１０１との間に収容されている。第２往路配管１０７には、ハイカット弁兼ローカット弁１０９が配設され、適温を超える高温の湯と適温に達しない低温の湯を第１往路配管１０５に第２復路配管１１０を介して戻す。そのため、肩湯吐出口１０８からは、適温の肩湯が吐出される（例えば特許文献１参照）。
【先行技術文献】
【特許文献】
【０００４】
【特許文献１】特開２００３−２７５１２１号公報
【発明の概要】
【発明が解決しようとする課題】
【０００５】
しかしながら、従来の肩湯システム１００は、以下の問題があった。すなわち、肩湯システム１００は、肩湯吐出口１０８を浴槽１０１に一体に設けていた。また、肩湯システム１００は、浴室の内部である浴槽１０１と壁Ｗとの間に三方弁１０６と第２往路配管１０７を収容する構造であった。よって、従来の肩湯システム１００は、浴槽１０１や浴室が肩湯専用の構造となり、高価だった。また、肩湯を愉しみたくても、既存の浴槽や浴室を、肩湯システム１００専用の浴槽１０１や浴室に交換しなければならなかった。
【０００６】
本発明は、上記問題点を解決するためになされたものであり、浴槽や浴室に制限されずに肩湯を愉しむことができる安価な肩湯システムを提供することを目的とする。
【課題を解決するための手段】
【０００７】
本発明の一態様は、次のような構成を有している。
（１）浴槽に設けられた循環口と、追い焚き機能を有する給湯器と、前記循環口から前記給湯器へ前記浴槽の風呂湯を供給する復路配管と、前記給湯器で加熱された前記風呂湯を前記給湯器から前記循環口へ供給する第１往路配管と、前記第１往路配管に配設される三方弁と、入浴者の肩に当てる肩湯を吐出する肩湯吐出口と、前記肩湯吐出口と前記三方弁とを接続する第２往路配管と、を備える肩湯システムにおいて、前記肩湯吐出口を備え、浴室の壁に取り付けられる肩湯装置を有すること、前記三方弁と前記第２往路配管が前記浴室の外部に配設されていることを特徴とする。
【０００８】
上記構成の肩湯システムは、肩湯吐出口を備える肩湯装置を浴室の壁に取り付けるので、浴槽の形状に関係なく、どの浴室にも肩湯吐出口を設けることができる。そして、三方弁と第２往路配管を浴室の外部に配設するので、肩湯吐出口に肩湯を供給する配管を浴槽や浴室の構造に関係なく設置できる。よって、上記構成によれば、浴槽や浴室に制限されずに肩湯システムを浴室に設置して、肩湯を愉しむことができる。また、浴室や浴槽が肩湯専用構造にならないので、安価に肩湯システムを提供できる。
【０００９】
（２）（１）に記載の構成において、前記給湯器と前記第２往路配管とを接続し、前記給湯器で加熱された止水を前記給湯器から前記第２往路配管に供給する第３往路配管と、前記第３往路配管に配設される開閉弁と、前記風呂湯を前記肩湯として使用する第１モードと前記止水を前記肩湯として使用する第２モードの何れかを設定するモード設定手段と、前記モード設定手段が前記第１モードを設定している場合には、前記三方弁に前記第１往路配管と前記第２往路配管とを導通させるように動作させると共に、前記開閉弁に弁閉動作させる一方、前記モード設定手段が前記第２モードを設定している場合には、前記三方弁に前記第１往路配管と前記第２往路配管とを導通させないように動作させると共に、前記開閉弁に弁開動作させるバルブ制御手段と、を有することが好ましい。
【００１０】
上記構成の肩湯システムは、風呂湯だけでなく、止水も、肩湯として使用できるので、使い勝手が良い。具体的に説明すると、入浴者は、例えば節水する場合には、モード設定手段により第１モードを設定する。この場合、バルブ制御手段は、第１往路配管と第２往路配管とを導通させるように三方弁を動作させ、第３往路配管の開閉弁を弁閉する。これにより、浴槽の風呂湯は、給湯器で加熱されてから肩湯装置の肩湯吐出口から吐出されて入浴者の肩に当たると、浴槽に戻され、再び給湯器へ送られて循環する。よって、入浴者は、風呂湯を循環させて肩湯を愉しむことができ、節水できる。一方、入浴者は、例えば湯を足しながら肩湯を愉しむ場合には、モード設定手段により第２モードを設定する。この場合、バルブ制御手段は、第１往路配管と第２往路配管とを導通させないように三方弁を動作させ、第３往路配管の開閉弁を弁開する。これにより、給湯器で加熱された止水が第３往路配管、開閉弁、第２往路配管を介して肩湯装置の肩湯吐出口から浴槽に吐出され、浴槽に溜められる。そのため、入浴者は、肩湯で肩を温めながら、足し湯できる。このように、上記構成の肩湯システムは、入浴者が風呂湯と止水を適宜選択して肩湯を愉しむことができ、使い勝手が良い。
【００１１】
（３）（１）又は（２）に記載の構成において、前記肩湯吐出口から吐出される前記肩湯の肩湯温度を設定する肩湯温度設定手段と、前記循環口から前記浴槽に供給する前記風呂湯の風呂温度を設定する風呂温度設定手段と、前記肩湯装置に供給する前記風呂湯又は前記止水を前記肩湯温度に加熱する一方、前記循環口に供給する前記風呂湯を前記風呂温度に加熱する温度変更手段と、を有することが好ましい。
【００１２】
上記構成の肩湯システムでは、入浴者が、風呂湯の風呂温度と別個に肩湯の肩湯温度を設定できるので、便利である。具体的に説明すると、肩湯は、肩湯吐出口から吐出された後、入浴者の肩に当たるまでの間、空気に接触して熱を奪われる。そのため、肩湯温度が風呂温度と同じ場合には、入浴者の肩に風呂温度より低温の肩湯が当たり、入浴者に不快感を与える恐れがある。そこで、入浴者は、肩湯温度設定手段により設定する肩湯温度を、風呂温度設定手段により設定する風呂温度より高温にすれば、肩湯が入浴者に当たる際の温度を風呂温度と同程度又は風呂温度より高温にでき、心地よく肩湯を愉しむことができる。また、温度に対する感じ方は千差万別なので、肩湯温度を風呂温度と別個に設定できれば、入浴者が自分の好みに応じて肩湯温度を自由に設定できる。このように、上記構成の肩湯システムは、入浴者が風呂湯の風呂温度と別個に肩湯の肩湯温度を自由に設定できるので、便利である。
【００１３】
（４）（２）又は（３）に記載の構成において、前記第２モードが設定されている場合に、前記肩湯装置からミストを発生させるミスト発生手段を有することが好ましい。
【００１４】
上記構成の肩湯システムは、肩湯装置に供給される止水のみがミスト化されるので、衛生的である。
【００１５】
（５）（１）乃至（４）の何れか一つに記載の構成において、前記肩湯を入浴者に当てる強さを変更する強度変更手段を有することが好ましい。
【００１６】
上記構成の肩湯システムでは、入浴者は、強度変更手段により肩湯が入浴者に当たる強さを自由に変更できる。よって、上記構成の肩湯システムによれば、入浴者は好みに応じた強さで肩湯を肩に当て、心地よいマッサージ効果が得られる。
【００１７】
（６）（５）に記載の構成において、前記強度変更手段は、前記肩湯装置に供給する前記風呂湯又は前記止水の流量を変更する流量変更手段を有することが好ましい。
【００１８】
上記構成の肩湯システムは、流量変更手段が、肩湯装置に供給する風呂湯又は止水の流量を増加させると、肩湯が肩湯吐出口から勢いよく吐出され、利用者の肩に強く当たる。一方、流量変更手段が、肩湯装置に供給する風呂湯又は止水の流量を減少させると、肩湯が肩湯吐出口から吐出する勢いが小さくなり、利用者の肩に弱く当たる。よって、上記構成によれば、肩湯装置に供給される風呂湯又は止水の流量を調整することにより、肩湯の強さを簡単に調整でき、より一層快適に肩湯を愉しむことができる。
【００１９】
（７）（５）に記載の構成において、前記強度変更手段は、前記肩湯吐出口から吐出される前記肩湯の形状を変更することにより、前記肩湯を入浴者に当てる強さを変更するものであることが好ましい。
【００２０】
上記構成の肩湯システムは、流量変更手段が、利用者の肩に当てる肩湯の形状を変更することにより、肩湯の強さを変更する。例えば、筋状の肩湯は、滝状の肩湯より、利用者の肩に強く当たる。よって、上記構成によれば、入浴者の好みに応じて肩湯の強さを設定でき、より一層快適に肩湯を愉しむことができる。
【００２１】
（８）（１）乃至（７）の何れか一つに記載の構成において、前記肩湯吐出口から前記肩湯を吐出する場合に、前記浴槽の風呂湯を半身浴に適した半身浴水位に調整する水位調整手段を有することが好ましい。
【００２２】
上記構成の肩湯システムは、肩湯が浴槽に流れ落ちても、風呂湯を半身浴水位に維持できるので、半身浴と肩湯を同時に愉しむことができる。
【００２３】
（９）（１）乃至（８）の何れか一つに記載の構成において、前記肩湯装置は、前記肩湯吐出口の形状を変更する肩湯吐出口形状変更手段を有することが好ましい。
【００２４】
上記構成の肩湯システムは、肩湯吐出口の形状を変更すれば、異なる吐出パターンで肩湯を愉しむことができる
【発明の効果】
【００２５】
従って、本発明によれば、浴槽や浴室に制限されずに肩湯を愉しむことができる安価な肩湯システムを提供することができる。
【図面の簡単な説明】
【００２６】
【図１】本発明の第１実施形態に係る肩湯システムの機器構成を示す図である。
【図２】壁に取り付けられた肩湯装置の上面図である。
【図３】肩湯装置の正面図である。
【図４】肩湯の形状を示す図である。
【図５】肩湯の形状を示す図である。
【図６】肩湯の形状を示す図である。
【図７】本発明の第２実施形態に係る肩湯システムの機器構成を示す図である。
【図８】本発明の第３実施形態に係る肩湯システムの機器構成を示す図である。
【図９】本発明の第４実施形態に係る肩湯システムに使用されるノズルの外観斜視図である。
【図１０】本発明の第４実施形態に係る肩湯システムに使用されるノズルの外観斜視図である。
【図１１】本発明の第４実施形態に係る肩湯システムに使用されるノズルの外観斜視図である。
【図１２】従来の肩湯システムの機器構成を示す図である。
【発明を実施するための形態】
【００２７】
以下に、本発明に係る肩湯システムの実施形態について図面に基づいて説明する。
【００２８】
（第１実施形態）
図１は、本発明の第１実施形態に係る肩湯システム１の機器構成を示す図である。図２は、壁Ｗに取り付けられた肩湯装置８の上面図である。図３は、肩湯装置８の正面図である。図４〜図６は、肩湯Ｙの形状を示す図である。以下では、まず肩湯システム１の機器構成を説明する。それから、肩湯装置８の構造を説明する。そして、肩湯システム１の動作を説明する。その後、肩湯システム１の作用効果を説明する。
【００２９】
＜肩湯システム１の機器構成について＞
図１に示すように、肩湯システム１は、肩湯吐出口８ｃ（図２参照）を備える肩湯装置８を浴槽２と別個に設けて浴室の壁Ｗに取り付け、その肩湯装置８に給湯器４で加熱された湯を供給する肩湯給湯回路１４が浴室の外部に設けられている。肩湯給湯回路１４は、浴槽２の風呂湯Ｘと止水を切り換えて肩湯装置８から吐出するように構成されている。
【００３０】
具体的に説明すると、肩湯システム１は、肩湯装置８が、浴槽２内の入浴者の肩に肩湯Ｙを当てるように、浴槽２に対する位置や壁Ｗに取り付ける高さを調整されて、壁Ｗに取り付けられている。壁Ｗの裏側（肩湯装置８が取り付けられる面と反対側の面）には、浴槽２の風呂湯Ｘを追い焚きする追い焚き回路１９や、肩湯装置８に湯を供給する肩湯給湯回路１４などが設けられている。つまり、追い焚き回路１９や肩湯給湯回路１４は、浴室の外部に設けられている。
【００３１】
追い焚き回路１９は、循環口３と、復路配管５と、第１往路配管６と、ポンプ２０を有する。循環口３は、浴槽２に設けられている。復路配管５は、循環口３と給湯器４に接続し、浴槽２の風呂湯Ｘを給湯器４に供給する。第１往路配管６は、給湯器４と循環口３に接続し、給湯器４で追い焚きされた風呂湯Ｘを浴槽２に供給する。ポンプ２０は、給湯器４に内蔵され、浴槽２の風呂湯Ｘを追い焚き回路１９に循環させる。よって、追い焚き回路１９は、風呂湯Ｘを浴槽２と給湯器４との間で循環させ、風呂湯を温めることができる。
【００３２】
肩湯給湯回路１４は、風呂湯Ｘと止水を切り換えて肩湯装置８に供給するように構成されている。肩湯給湯回路１４は、三方弁７と、第２往路配管９と、第３往路配管１０と、第１逆止弁１１と、第２逆止弁１２と、開閉弁１３とを有する。
【００３３】
三方弁７は、第１往路配管６に配設されている。第２往路配管９は、肩湯装置８と三方弁７とを接続している。三方弁７は、第１ポート７ａが給湯器４に導通し、第２ポート７ｂが循環口３に導通し、第３ポート７ｃが肩湯装置８に導通している。かかる三方弁７は、給湯器４で加熱された風呂湯Ｘを浴槽２に供給する流路と、肩湯装置８に供給する流路とを切り換える。具体的には、三方弁７は、第１ポート７ａを第２ポート７ｂに連通させ、第３ポート７ｃを遮断することにより、給湯器４で加熱された風呂湯Ｘを浴槽２に供給する流路を形成する。また、三方弁７は、第１ポート７ａを第３ポート７ｃに連通させ、第２ポート７ｂを遮断することにより、給湯器４で加熱された風呂湯Ｘを肩湯装置８に供給する流路を形成する。
【００３４】
第３往路配管１０は、給湯器４と第２往路配管９とを接続する。これにより、給湯器４で加熱された止水は、第３往路配管１０と第２往路配管９を介して肩湯装置８に供給される。第３往路配管１０は、給湯器４側から順に第１及び第２逆止弁１１，１２が配設され、風呂湯Ｘが第３往路配管１０を介して給湯器４に流れることを阻止する。開閉弁１３は、第２逆止弁１２の下流側（第２往路配管９と第３往路配管１０との接続点Ｐ１側）に配設され、止水の供給を制御する。
【００３５】
肩湯システム１は、制御手段１８（バルブ制御手段、温度変更手段の一例）を備える。制御手段１８は、周知のマイクロコンピュータで構成されている。制御手段１８は、給湯器４の動作を設定する給湯器リモコン１５（モード設定手段、風呂温度設定手段、肩湯温度設定手段の一例）が電気的に接続されている。給湯器リモコン１５は、通信線１７を介して運転リモコン１６（モード設定手段、風呂温度設定手段、肩湯温度設定手段の一例）に接続している。給湯器リモコン１５は、運転リモコン１６の設定が自動的に自機に反映されるようになっている。給湯器リモコン１５と運転リモコン１６は、給湯器４の各種設定を行うスイッチを備え、そのスイッチはオンオフ式のアナログスイッチでも、液晶タッチパネルに表示されるデジタルスイッチでも良い。本実施形態では、給湯器リモコン１５はキッチンに設置され、運転リモコン１６は浴室に設置される。
【００３６】
制御手段１８は、三方弁７、開閉弁１３、給湯器４と、ポンプ２０に電気的に接続されている。制御手段１８は、追い焚き動作を制御するプログラムや肩湯吐出動作を制御するプログラム等を記憶している。制御手段１８は、給湯器リモコン１５から入力する指令に応じて、三方弁７と開閉弁１３と給湯器４とポンプ２０の動作を制御する。
【００３７】
＜肩湯装置８の構造について＞
図２に示すように、肩湯装置８は、装置本体８ａが挟み込み金具８ｉ，８ｉを介して壁Ｗに取り付けられ、第２往路配管９に接続されている。装置本体８ａは、吐出部８ｈが一対の脚部８ｆ，８ｆに脱着可能に連結されている。吐出部８ｈは、長手方向に沿って形成されたメイン流路８ｂが第２往路配管９に連通する。メイン流路８ｂには、肩湯吐出口８ｃを形成するノズル８ｄが複数連通しており、止水又は風呂湯が複数のノズル８ｄから吐出される。このような、肩湯装置８は、肩湯Ｙが入浴者の肩に届くように、肩湯吐出口８ｃの位置や高さを自由に調整できる。また、肩湯装置８は、浴槽２と別個に設けているので、任意の高さに肩湯吐出口８ｃを設け、肩湯Ｙの落差を利用してマッサージ効果を高めることが可能である。
【００３８】
図２及び図３に示すように、吐出部８ｈは箱形をなす。吐出部８ｈの前面（壁Ｗと対向する面と反対側に位置する面）には、ノズル８ｄが長手方向に沿って一列に並んで設けられている。本実施形態のノズル８ｄは、肩湯吐出口８ｃが円形に形成されている。図２に示すように、装置本体８ａは、第２往路配管９に連通するメイン流路８ｂが長手方向中央部に形成され、ノズル８ｄが気密に接続されている。図４〜図６に示すように、肩湯装置８は、吐出部８ｈを長手方向の軸線を中心に回転させるダイヤル８ｅを備え、肩湯Ｙの形状を変更できるようになっている。図３に示すように、装置本体８ａは、ノズル８ｄから吐出された肩湯Ｙの向きを調整する流水板８ｇが肩湯吐出口８ｃの下方に位置する吐出部８ｈの一側面に着脱可能に取り付けられ、肩湯Ｙを入浴者の肩に導きやすくしている。
【００３９】
尚、肩湯装置８は、吐出部８ｈを、肩湯吐出口８ｃの形状が異なる他の吐出部と交換できるようになっている。例えば、肩湯装置８は、ミストノズルにより肩湯吐出口８ｃを形成する吐出部８ｈｘ（図示せず）が、一対の脚部８ｆ，８ｆに脱着可能に連結される。よって、肩湯装置８は、ミストサウナを行う場合、入浴者が吐出部８ｈを他の吐出部８ｈｘに簡単に交換できる。
【００４０】
肩湯装置８は、ミストを発生させるミストモードを設定するミストモード設定手段を備える。ミストモード設定手段は、吐出部８ｈｘが肩湯装置８に取り付けられた場合にはミストモードを設定し、その他の吐出部８ｈが肩湯装置８に取り付けられた場合にはミストモードを設定しないように構成されている。本実施形態では、脚部８ｆにリミットスイッチを設け、吐出部８ｈにリミットスイッチをオフするオフ操作部を設け、吐出部８ｈｘにリミットスイッチをオンするオン操作部を設けることにより、ミストモード設定手段を構成する。
【００４１】
制御手段１８は、ミストモード設定手段（リミットスイッチ）に電気的に接続されている。制御手段１８は、ミストモード設定手段にミストモードが設定された場合には（リミットスイッチがオンされた場合には）、給湯器リモコン１５及び運転リモコン１６に第２モードの設定のみを許可し、ミストモード設定スイッチにミストモードが設定されない場合には（リミットスイッチがオフされた場合には）、給湯器リモコン１５及び運転リモコン１６に第１又は第２モードの設定を許可する。つまり、肩湯装置８は、止水を使用してミストを発生させることはできるが、風呂湯を使用してミストを発生させることはできない。本実施形態では、ミストモード設定手段と制御手段１８により、「ミスト発生手段」が構成される。
【００４２】
＜肩湯システム１の動作について＞
肩湯システム１は、追い焚きも肩湯吐出も行わない待機状態では、制御手段１８が開閉弁１３を弁閉している。また、制御手段１８は、第１ポート７ａと第２ポート７ｂを連通させ、第１ポート７ａと第３ポート７ｃを連通させないように三方弁７を初期状態にしている。このとき、制御手段１８は、給湯器４のポンプ２０を作動させない。
【００４３】
例えば入浴者が、運転リモコン１６を操作して浴槽２の風呂湯Ｘを追い焚きする追い焚きモードを設定すると、給湯器リモコン１５には、自動的に追い焚きモードが設定される。すると、制御手段１８は、開閉弁１３を弁閉状態にし、三方弁７を初期状態にする。そして、制御手段１８は、ポンプ２０を作動させ、追い焚き回路１９に浴槽２の風呂湯Ｘを循環させる。このとき、制御手段１８は、給湯器リモコン１５に設定されている風呂湯Ｘの風呂温度（例えば４０℃）を読み込み、風呂湯Ｘを風呂温度に加熱するようにバーナ４ａの動作を制御する。これにより、浴槽２の風呂湯Ｘは、給湯器４によって風呂温度に加熱されてから浴槽２に戻され、追い焚きされる。
【００４４】
入浴者が、運転リモコン１６を操作して肩湯を開始する肩湯開始モードを設定すると、給湯器リモコン１５が自動的に肩湯開始モードを設定される。すると、制御手段１８は、給湯器リモコン１５に、風呂湯Ｘを肩湯Ｙとして使用する第１モードが設定されているか、止水を肩湯Ｙとして使用する第２モードが設定されているかを判断する。尚、第１モードと第２モードは、給湯器リモコン１５を操作して直接的に設定しても良いし、運転リモコン１６を操作して給湯器リモコン１５に間接的に設定しても良い。
【００４５】
制御手段１８は、給湯器リモコン１５に第１モードが設定されていると判断した場合には、第１ポート７ａと第３ポート７ｃを導通させ、第１ポート７ａを第２ポート７ｂに導通させないように三方弁７を動作させる。そして、制御手段１８は、開閉弁１３を弁閉する。これにより、浴槽２の風呂湯Ｘが、循環口３、復路配管５、給湯器４、第１往路配管６、三方弁７の第１ポート７ａ、第３ポート７ｃ、第２往路配管９を介して肩湯装置８に供給され、肩湯吐出口８ｃから浴槽２に向けて肩湯Ｙとして吐出され、入浴者の肩に当てられる。
【００４６】
これに対し、制御手段１８は、給湯器リモコン１５に第２モードが設定されていると判断した場合には、三方弁７を初期状態に戻し、開閉弁１３を弁開する。これにより、風呂湯Ｘが第２往路配管９を介して肩湯装置８に供給されなくなる。そして、給湯器４で加熱された止水が第３往路配管１０、第２往路配管９を介して肩湯装置８に供給され、肩湯吐出口８ｃから肩湯Ｙとして入浴者の肩に当てられる。
【００４７】
ここで、肩湯システム１は、肩湯温度と風呂温度を別々に設定できる。そのため、制御手段１８は、肩湯装置８が肩湯Ｙを吐出する場合、給湯器リモコン１５に設定されている肩湯Ｙの肩湯温度を読み込み、風呂湯Ｘ又は止水を肩湯温度に加熱するように、給湯器４のバーナ４ａの動作を制御する。よって、肩湯システム１は、風呂湯Ｘと異なる温度で肩湯Ｙを入浴者の肩や首筋に当てることができる。
【００４８】
ところで、入浴者は、肩湯Ｙを肩湯吐出口８ｃから吐出させる場合に、ダイヤル８ｅにより吐出部８ｈを回転させると、肩湯Ｙの形状を変更できる。すなわち、図４に示すように、装置本体８ａは、吐出部８ｈが肩湯吐出口８ｃを真横に向ける第１姿勢では、肩湯吐出口８ｃから吐出される肩湯Ｙの形状は、細い筋状となる。この場合、肩湯Ｙは、表面張力により粒を形成しようとする。そのため、入浴者の肩には、肩湯Ｙがリズミカルに強弱を付けて当たる。よって、この場合には、肩の温めに加えて、マッサージ効果が得られる。
【００４９】
また図６に示すように、装置本体８ａは、ダイヤル８ｅを操作することにより、吐出部８ｈが第１姿勢時より９０度回転されて肩湯吐出口８ｃを真上に向ける第３姿勢では、肩湯Ｙが肩湯吐出口８ｃから噴水状に吐出され、吐出部８ｈの側面を伝って滝状に流れ落ちる。この状態では、肩湯Ｙが入浴者の肩まで届かない。そこで、入浴者は、装置本体８ａの吐出部８ｈに流水板８ｇを取り付け、吐出部８ｈの側面を伝って流れ落ちる肩湯Ｙの向きを入浴者側に向ける。これにより、入浴者の肩には、肩湯Ｙが滝状に流れ落ちる。よって、この場合には、第１姿勢のときより、肩湯Ｙを入浴者に当てる強さが小さくなるものの、入浴者の肩の広範囲に肩湯Ｙを当て、肩全体を均一に温めることができる。尚、かかる滝状の肩湯Ｙは、肩湯吐出口８ｃを第１姿勢の位置から上方に６０度以上回転させることにより実現できることを、発明者らは確認している。
【００５０】
図５に示すように、装置本体８ａは、吐出部８ｈが第１姿勢時より４５度回転されて肩湯吐出口８ｃを斜め４５度上方に向ける第２姿勢では、第１姿勢より、肩湯Ｙが肩湯吐出口８ｃの内周面に接触する面積が広くなる。そのため、肩湯Ｙは、肩湯吐出口８ｃを真横に向ける場合より幅広に肩湯吐出口８ｃから吐出される。この姿勢では、第１姿勢の場合より肩湯Ｙを吐出する勢いが小さくなるので、流水板８ｇを装置本体８ａの吐出部８ｈに取り付けて肩湯Ｙを入浴者の肩に導く。この場合、第２姿勢は、第３姿勢より、肩湯Ｙを肩湯吐出口８ｃから細く吐出し、第３姿勢より流水板８ｇを流れる速度が速くなる。よって、この場合、肩湯Ｙを入浴者に当てる力を第３姿勢より強くしつつ、肩湯Ｙを入浴者の肩に当てる範囲を第１姿勢より広げることができ、マッサージ効果と肩全体の温め効果との双方を得られやすい。
【００５１】
更に、肩湯システム１は、吐出部８ｈを吐出部８ｈｘに交換すれば、肩湯装置８から止水をミスト化して吐出し、入浴者の肩を温めることができる。具体的には、入浴者が吐出部８ｈを吐出部８ｈｘに交換すると、脚部８ｆのリミットスイッチがオンからオフに切り換えられる。すると、制御手段１８は、ミストモードを設定されたと判断し、給湯器リモコン１５又は運転リモコン１６に第２モードの設定のみを許可し、第１モードの設定を許可しない。これにより、肩湯システム１は、第２モードが設定された場合のみ、肩湯装置８からミストを発生するようになる。よって、肩湯システム１は、肩湯装置８から風呂湯をミスト化して吐出せず、止水のみをミスト化して肩湯装置８から吐出するので、衛生的に入浴者の肩全体をじんわりと温めることができる。このとき、ミスト化された肩湯は、入浴者の肩に当たって周りに飛び散らないので、リラクゼーション効果をより一層高めることができる。
【００５２】
＜肩湯システム１の作用効果について＞
以上説明したように、本実施形態は、浴槽２に設けられた循環口３と、追い焚き機能を有する給湯器４と、循環口３から給湯器４へ浴槽２の風呂湯Ｘを供給する復路配管５と、給湯器４で加熱された風呂湯Ｘを給湯器４から循環口３へ供給する第１往路配管６と、第１往路配管６に配設される三方弁７と、入浴者の肩に当てる肩湯Ｙを吐出する肩湯吐出口８ｃと、肩湯吐出口８ｃと三方弁７とを接続する第２往路配管９と、を備える肩湯システム１において、肩湯吐出口８ｃを備え、浴室の壁に取り付けられる肩湯装置８を有すること、三方弁７と第２往路配管９が浴室の外部に配設されていることを特徴とする。このような肩湯システム１は、肩湯吐出口８ｃを備える肩湯装置８を浴室の壁Ｗに取り付けるので、浴槽２の形状に関係なく、どの浴室にも肩湯吐出口８ｃを設けることができる。そして、三方弁７と第２往路配管９を浴室の外部に配設するので、肩湯吐出口８ｃに肩湯を供給する配管を浴槽２や浴室の構造に関係なく設置できる。よって、本実施形態の肩湯システム１によれば、浴槽２や浴室に制限されずに肩湯システム１を浴室に設置して、肩湯Ｙを愉しむことができる。また、浴室や浴槽２が肩湯専用構造にならないので、安価に肩湯システム１を提供できる。
【００５３】
また、本実施形態の肩湯システム１は、給湯器４と第２往路配管９とを接続し、給湯器４で加熱された止水を給湯器４から第２往路配管９に供給する第３往路配管１０と、第３往路配管１０に配設される開閉弁１３と、風呂湯Ｘを肩湯Ｙとして使用する第１モードと止水を肩湯Ｙとして使用する第２モードの何れかを設定する給湯器リモコン１５又は運転リモコン１６（モード設定手段の一例）と、給湯器リモコン１５又は運転リモコン１６が第１モードを設定している場合には、三方弁７に第１往路配管６と第２往路配管９とを導通させるように動作させると共に、開閉弁１３に弁閉動作させる一方、給湯器リモコン１５又は運転リモコン１６が第２モードを設定している場合には、三方弁７に第１往路配管６と第２往路配管９とを導通させないように動作させると共に、開閉弁１３に弁開動作させる制御手段１８（バルブ制御手段の一例）と、を有する。このような肩湯システム１は、風呂湯Ｘだけでなく、止水も、肩湯Ｙとして使用できるので、使い勝手が良い。
【００５４】
具体的に説明すると、入浴者は、例えば節水する場合には、給湯器リモコン１５又は運転リモコン１６により第１モードを設定する。この場合、制御手段１８は、第１往路配管６と第２往路配管９とを導通させるように三方弁７を動作させ、第３往路配管１０の開閉弁１３を弁閉する。これにより、浴槽２の風呂湯Ｘは、給湯器４で加熱されてから肩湯装置８の肩湯吐出口８ｃから吐出されて入浴者の肩に当たると、浴槽に戻され、再び給湯器４へ送られて循環する。よって、入浴者は、風呂湯Ｘで肩湯Ｙを愉しむことができ、節水できる。一方、入浴者は、例えば湯を足しながら肩湯Ｙを愉しむ場合には、給湯器リモコン１５又は運転リモコン１６により第２モードを設定する。この場合、制御手段１８は、第１往路配管６と第２往路配管９とを導通させないように三方弁７を動作させ、第３往路配管１０の開閉弁１３を弁開する。これにより、給湯器４で加熱された止水が第３往路配管１０、開閉弁１３、第２往路配管９を介して肩湯装置８の肩湯吐出口８ｃから浴槽２に吐出され、浴槽２に溜められる。そのため、入浴者は、肩湯Ｙで肩を温めながら、浴槽２に湯を足すことができる。このように、本実施形態の肩湯システム１は、入浴者が風呂湯Ｘと止水を適宜選択して肩湯Ｙを愉しむことができ、使い勝手が良い。
【００５５】
また、本実施形態の肩湯システム１は、肩湯吐出口８ｃから吐出される肩湯Ｙの肩湯温度を設定する給湯器リモコン１５（肩湯温度設定手段の一例）又は運転リモコン１６（肩湯温度設定手段の一例）と、循環口３から浴槽２に供給する風呂湯Ｘの風呂温度を設定する給湯器リモコン１５（風呂温度設定手段の一例）又は運転リモコン１６（風呂温度設定手段の一例）と、肩湯装置８に供給する風呂湯Ｘ又は止水を肩湯温度に加熱する一方、循環口３に供給する風呂湯Ｘを風呂温度に加熱する制御手段１８（温度変更手段の一例）と、を有する。このような肩湯システム１では、入浴者が、風呂湯Ｘの風呂温度と別個に肩湯Ｙの肩湯温度を設定できるので、便利である。
【００５６】
具体的に説明すると、肩湯Ｙは、肩湯吐出口８ｃから吐出された後、入浴者の肩に当たるまでの間、空気に接触して熱を奪われる。特に、本実施形態のように、肩湯装置８が浴槽２より高い位置に設置される場合、空気との接触時間が長く、熱を奪われやすい。そのため、肩湯温度が風呂温度と同じ場合には、入浴者の肩に風呂温度より低温の肩湯Ｙが当たり、入浴者に不快感を与える恐れがある。そこで、入浴者は、給湯器リモコン１５又は運転リモコン１６により設定する肩湯温度を、給湯器リモコン１５又は運転リモコン１６により設定する風呂温度より高温にすれば、肩湯Ｙが入浴者に当たる際の温度を風呂温度と同程度又は風呂温度より高温にでき、心地よく肩湯Ｙを愉しむことができる。また、温度に対する感じ方は千差万別なので、肩湯温度を風呂温度と別個に設定できれば、入浴者が自分の好みに応じて肩湯温度を自由に設定できる。このように、本実施形態の肩湯システム１は、入浴者が風呂湯Ｘの風呂温度と別個に肩湯Ｙの肩湯温度を自由に設定できるので、便利である。
【００５７】
また、本実施形態の肩湯システム１は、肩湯Ｙを入浴者に当てる強さを変更する強度変更手段を、装置本体８ａの吐出部８ｈとダイヤル８ｅとで構成する。このような肩湯システム１では、入浴者は、ダイヤル８ｅを操作して吐出部８ｈを回転させることにより肩湯Ｙが入浴者に当たる強さを自由に変更できる。よって、本実施形態の肩湯システム１によれば、入浴者は好みに応じた強さで肩湯Ｙを肩に当て、心地よいマッサージ効果が得られる。
【００５８】
特に、本実施形態の肩湯システム１は、強度変更手段が、肩湯吐出口８ｃから吐出される肩湯Ｙの形状を変更することにより、肩湯Ｙの強さを変更するものである。具体的には、例えば図４に示す筋状の肩湯Ｙは、図６に示す滝状の肩湯Ｙより、入浴者の肩に強く当たる。よって、本実施形態によれば、入浴者の好みに応じて肩湯Ｙの強さを設定でき、より一層快適に肩湯Ｙを愉しむことができる。しかも、本実施形態の肩湯システム１は、ダイヤル８ｅを操作するだけで簡単に肩湯Ｙの形状を変えることができるので、使い勝手が良い。
【００５９】
更に、本実施形態の肩湯システム１は、第２モードが設定されている場合に、肩湯装置８からミストを発生させるミスト発生手段を有する。そのため、肩湯システム１は、肩湯装置８に供給される止水のみがミスト化されるので、衛生的である。
【００６０】
従って、本実施形態によれば、浴槽２や浴室に制限されずに肩湯Ｙを愉しむことができる安価な肩湯システム１を提供することができる。
【００６１】
（第２実施形態）
次に、本発明の第２実施形態に係る肩湯システムを説明する。図７は、本発明の第２実施形態に係る肩湯システム２１の機器構成を示す図である。本実施形態の肩湯システム２１は、第１及び第２流量調整弁２２，２３を備える点だけが、第１実施形態と相違する。ここでは、第１実施形態と共通する構成には、説明及び図面に第１実施形態と同じ符号を使用し、適宜説明を省略する。
【００６２】
肩湯システム２１の第２往路配管９は、第３往路配管１０が第２往路配管９に接続する接続点Ｐ１と三方弁７との間に、第１流量調整弁２２が配設されている。第１流量調整弁２２は、肩湯装置８に供給する風呂湯Ｘの流量を制御する。また、第３往路配管１０は、開閉弁１３と接続点Ｐ１との間に第２流量調整弁２３が配設されている。第２流量調整弁２３は、肩湯装置８に供給する止水の流量を制御する。第１及び第２流量調整弁２２，２３は、制御手段２６に電気的に接続されている。制御手段２６は、給湯器４が風呂湯Ｘ又は止水を加熱できる最小流量（例えば３Ｌ／ｍｉｎ）以上となるように、第１及び第２流量制御弁２２，２３の制御流量を制御する。制御手段２６には、給湯器リモコン２４が接続している。その給湯器リモコン２４には、通信線１７を介して運転リモコン２５が接続されている。
【００６３】
給湯器リモコン２４及び運転リモコン２５は、肩湯Ｙが利用者に当たる強さを変更する強度変更スイッチが設けられている点だけが、第１実施形態の給湯器リモコン１５及び運転リモコン１６と相違する。また、制御手段２６は、第１及び第２流量調整弁２２，２３の動作を制御する機能を有する点だけが、第１実施形態の制御手段１８と相違する。
【００６４】
利用者は、肩湯Ｙが肩に当たる強さを変更する場合、給湯器リモコン２４に設定される強さを変更する。肩湯Ｙの強さは、給湯器リモコン２４で直接設定しても良いし、運転リモコン２５を介して給湯器リモコン２４に間接的に設定しても良い。例えば、利用者は、肩湯Ｙを肩に当てている最中に、肩湯Ｙをより強く肩に当てたい場合には、運転リモコン２５により肩湯の強さを大きくする。
【００６５】
制御手段２６は、第１モードが設定されている場合には、第１流量調整弁２２の弁開度を給湯器リモコン２４に設定された強さに応じて制御する。これにより、風呂湯Ｘは、第１流量調整弁２２で流量を制御された後、肩湯装置８から吐出される。一方、制御手段１８は、第２モードが設定されている場合には、第２流量調整弁２３の弁開度を給湯器リモコン２４に設定された強さに応じて調整する。これにより、止水は、第２流量調整弁２３で流量を制御された後、肩湯装置８から吐出される。
【００６６】
以上説明したように、本実施形態の肩湯システム２１は、肩湯Ｙを入浴者に当てる強さを変更する強度変更手段を、給湯器リモコン２４と運転リモコン２５と第１流量調整弁２２と第２流量調整弁２３と制御手段２６で構成する。これにより、肩湯システム２１は、給湯器リモコン２４と運転リモコン２５を操作して第１及び第２流量調整弁２２，２３を作動させることにより肩湯Ｙが入浴者に当たる強さを自由に変更できるので、入浴者の好みに応じたマッサージ効果が簡単に得られる。
【００６７】
より具体的には、肩湯システム１は、第１又は第２流量調整弁２２，２３が肩湯装置８に供給する風呂湯Ｘ又は止水の流量を増加させると、肩湯Ｙが肩湯吐出口８ｃから勢いよく吐出され、利用者の肩に強く当たる。一方、第１又は第２流量調整弁２２，２３が、肩湯装置８に供給する風呂湯Ｘ又は止水の流量を減少させると、肩湯Ｙが肩湯吐出口８ｃから吐出する勢いが小さくなり、利用者の肩に弱く当たる。よって、本実施形態の肩湯システム２１によれば、肩湯装置８に供給される風呂湯Ｘ又は止水の流量を調整することにより、肩湯Ｙの強さを簡単に調整でき、より一層快適に肩湯Ｙを愉しむことができる。
【００６８】
（第３実施形態）
次に、本発明の第３実施形態に係る肩湯システムを説明する。図８は、本発明の第３実施形態に係る肩湯システム３１の機器構成を示す図である。本実施形態の肩湯システム３１は、肩湯吐出口８ｃから肩湯を吐出する場合に浴槽２の風呂湯Ｘを半身浴に適した水位に調整する水位調整手段を有する点だけが、第１実施形態と相違している。ここでは、第１実施形態と共通する構成には、説明及び図面に第１実施形態と同じ符号を使用し、適宜説明を省略する。
【００６９】
本実施形態の肩湯システム３１は、水位検出手段３４と、三方弁３２と、制御手段３３により、水位調整手段が構成されている。水位検出手段３４は、浴槽２に設けられ、風呂湯Ｘの水位を検出する。三方弁３２は、復路配管５に配設され、浴槽２から風呂湯Ｘを排水する。三方弁３２は、第１ポート３２ａが循環口３に接続され、第２ポート３２ｂが給湯器４に接続され、第３ポート３２ｃが図示しない排水管に接続される。制御手段３３は、水位検出手段３４と三方弁３２に電気的に接続され、水位検出手段３４が検出する検出水位に応じて三方弁３２の動作を制御する。
【００７０】
肩湯システム３１は、肩湯を停止している場合、制御手段３３は、第１ポート３２ａと第２ポート３２ｂを導通させ、第３ポート３２ｃを遮断するように三方弁３２の動作を制御する。これにより、風呂湯Ｘが排水されない。
【００７１】
肩湯システム３１は、例えば入浴者が運転リモコン１６を介して給湯器リモコン１５に第１又は第２モードを設定すると、制御手段３３が、水位検出手段３１が検出する検出水位を入力する。制御手段３３は、半身浴に適した半身浴水位を記憶している。そこで、制御手段３３は、検出水位を半身浴水位と比較する。そして、制御手段３３は、検出水位が半身浴水位以下である場合には、第１ポート３２ａと第２ポート３２ｂを導通させ、第３ポート３２ｃを遮断するように三方弁３２の動作を制御し、風呂湯Ｘを排水しない。これに対して、制御手段３３は、検出水位が半身浴水位を超える場合には、第１ポート３２ａと第３ポート３２ｃを導通させ、第２ポート３２ｂを遮断するように三方弁３２の動作を制御する。これにより、風呂湯Ｘは、浴槽２から図示しない排水管へ排水され、浴槽２の水位が半身浴水位まで下がる。
【００７２】
以上説明したように、本実施形態の肩湯システム３１は、肩湯吐出口８ｃから肩湯Ｙを吐出する場合に、浴槽２の風呂湯Ｘを半身浴に適した半身浴水位に調整する水位調整手段を、水位検出手段３４と三方弁３２と制御手段３３とで構成する。このような肩湯システム３１は、肩湯Ｙが浴槽２に流れ落ちても、風呂湯Ｘを半身浴水位に維持できるので、半身浴と肩湯Ｙを同時に愉しむことができる。これは特に、冬場に有効である。なぜなら、風呂湯Ｘに浸かっていない上半身を肩湯Ｙで温めながら半身浴するので、上半身の寒さを感じずに、血行を促進して体を温めることができるからである。
【００７３】
尚、本実施形態では、第２モードを設定して肩湯Ｙの吐出を開始すると、自動的に風呂湯Ｘを半身浴水位に調整するようにした。これに対して、給湯器リモコン１５又は運転リモコン１６により第２モードに加えて、半身浴を実行する半身浴モードを設定した場合に、風呂湯Ｘを半身浴水位に調整するようにしても良い。この場合、利用者が肩湯Ｙの吐出と同時に、半身浴するか否かを選択でき、便利である。
【００７４】
（第４実施形態）
次に、本発明の第４実施形態に係る肩湯システムを説明する。図９〜図１１は、本発明の第４実施形態に係る肩湯システムに使用される第１〜第３ノズル４１，４２，４３を示す図である。本実施形態の肩湯システムは、肩湯装置８に第１〜第３ノズル４１，４２，４３を付け替える点だけが、第１実施形態と相違する。
【００７５】
第４実施形態の肩湯システムでは、図９に示すように、第１ノズル４１は肩湯吐出口４１ａが円形状である。図１０に示すように、第２ノズル４２は、肩湯吐出口４２ａの形状が楕円形である。更に、図１１に示すように、第３ノズル４３は、肩湯吐出口４３ａが多数の孔部４３ｂで形成されている。肩湯装置８は、第１〜第３ノズル４１〜４３を付け替えられることで、肩湯吐出口４１ａ〜４３ａの形状が変更される。第１〜第３ノズル４１〜４３は、肩湯装置８に気密に差し込まれてメイン流路８ｂに連通する。
【００７６】
この肩湯システムは、第１ノズル４１を肩湯装置８に取り付けた場合、円形状の肩湯吐出口４１ａから肩湯Ｙを筋状に吐出する。また、第２ノズル４２を肩湯装置８に取り付けた場合、楕円形状の肩湯吐出口４２ａから肩湯Ｙを帯状に吐出する。更に、第３ノズル４３を肩湯装置８に取り付けた場合、多数の孔部４３ｂを備える肩湯吐出口４３ａから肩湯Ｙをシャワー状に吐出する。
【００７７】
同じ流量であれば、筋状の肩湯Ｙは、帯状の肩湯Ｙやシャワー状の肩湯Ｙより入浴者に強く当たり、マッサージ効果が高い。また、帯状の肩湯Ｙは、筋状の肩湯Ｙより入浴者の肩に広範囲で供給され、温め効果が高い。また、帯状の肩湯Ｙは、シャワー状の肩湯よりたくさんの量を入浴者の肩に当てることができる。シャワー状の肩湯Ｙは、入浴者に当たる強さや範囲が筋状の肩湯Ｙと帯状の肩湯Ｙの中間程度である。よって、利用者は、第１〜第３ノズル４１〜４３を肩湯装置８に付け替えることにより、好みの強さと範囲で肩湯Ｙを肩に当てることができる。
【００７８】
以上説明したように、第４実施形態の肩湯ユニットでは、第１〜第３ノズル４１〜４３を肩湯装置８に付け替えて肩湯吐出口４１ａ〜４３ａから吐出する肩湯Ｙの形状を変更することにより、肩湯Ｙを入浴者に当てる強さを変更する。例えば、図９に示す第１ノズル４１から筋状に吐出される肩湯Ｙは、図１０に示す第２ノズル４２から滝状に吐出される肩湯Ｙより、利用者の肩に強く当たる。よって、本実施形態に肩湯システムによれば、入浴者の好みに応じて肩湯Ｙの強さを設定でき、心地良いマッサージ効果が得られる。また、本実施形態の肩湯システムによれば、より一層快適に肩湯を愉しむことができる。
【００７９】
また、本実施形態の肩湯システムは、肩湯装置８は、第１〜第３ノズル４１〜４３を付け替えられて肩湯吐出口４１ａ〜４３ａの形状を変更するので、第１〜第３ノズル４１〜４３を交換すれば、異なる吐出パターンで肩湯Ｙを愉しむことができる。
【００８０】
尚、本発明は、上記実施形態に限定されることなく、色々な応用が可能である。
【００８１】
（１）例えば、上記第２実施形態では、第１及び第２流量調整弁２２，２３により強度変更手段を構成したが、第２往路配管９の接続点Ｐ１と肩湯装置８との間に流量調整弁を設置して強度変更手段としても良い。
【００８２】
（２）例えば、上記第３実施形態では、制御手段３３が水位検出手段３４の検出水位に基づいて三方弁３２の動作を制御することにより風呂湯Ｘを半身浴水位に制御したが、制御手段３３が水位検出手段３４の検出水位に基づいて浴槽２の自動排水栓を位置制御することにより風呂湯Ｘを半身浴水位に制御するようにしても良い。また例えば、半身浴水位に対応する浴槽２の位置に排水口を設けても良い。
【００８３】
（３）また、上記実施形態において、運転リモコン１６から給湯器４の給湯温度を変更するようにしても良い。この場合、開閉弁１３の下流側に温度センサを設け、その温度が肩湯温度になるように、給湯水に水を混合するようにしても良い。
【００８４】
（４）また、上記実施形態では、肩湯給湯回路１４を浴室の壁Ｗの裏側に設置した。これに対して、肩湯給湯回路１４は、給湯器４内や、給湯器４の隣など、浴室の外部の色々な場所に設置できる。
【００８５】
（５）また、上記第１実施形態では、吐出部８ｈｘが肩湯装置８に取り付けられた場合に、第１モードの設定を許可しない（禁止する）ことで、止水のみをミスト化するように構成した。これに対して、例えば、給湯器リモコン１５と運転リモコン１６に、肩湯をミスト化して吐出するミストモードを設定するミストモード設定スイッチを設け、第２モードが設定されている場合にのみ、ミストモード設定スイッチの操作を有効にすることで、第２モードが設定されている場合に肩湯装置８からミストを発生させるようにしても良い。
【００８６】
（６）また、上記第２実施形態では、吐出部８ｈを吐出部８ｈｘに交換することにより、ミストを発生するようにした。これに対して、例えば吐出部８ｈの肩湯吐出口８ｃにミストノズルを接続し、ミストを発生するようにしても良い。これによれば、吐出部８ｈを交換せずに、ミストを発生させることができる。
【００８７】
（７）また、運転リモコン１６，２５が、給湯器リモコン１５，２４を介さずに、給湯器４を直接制御するようにしても良い。
【符号の説明】
【００８８】
１、２１、３１  肩湯システム
２    浴槽
３    循環口
４    給湯器
５    復路配管
６    第１往路配管
７    三方弁
８    肩湯装置
８ｃ  肩湯吐出口
８ｅ  ダイヤル（強度変更手段の一例）
８ｈ  吐出部（強度変更手段の一例）
９    第２往路配管
１０  第３往路配管
１３  開閉弁
１５，２４  給湯器リモコン（モード設定手段、風呂温度設定手段、肩湯温度設定手段の一例）
１８  制御手段（バルブ制御手段、温度変更手段の一例）
２２  第１流量調整弁（強度変更手段、流量変更手段の一例）
２３  第２流量調整弁（強度変更手段、流量変更手段の一例）
２６  制御手段（強度変更手段、流量変更手段の一例）
３２  三方弁（水位調整手段の一例）
３３  制御手段制御手段（水位調整手段の一例）
３４  水位検出手段（水位調整手段の一例）
４１  第１ノズル（吐出口形状変更手段の一例）
４１ａ  肩湯吐出口
４２  第２ノズル（吐出口形状変更手段の一例）
４２ａ  肩湯吐出口
４３  第３ノズル（吐出口形状変更手段の一例）
４３ａ  肩湯吐出口
Ｘ  風呂湯
Ｙ  肩湯
【図１】
2017124042.tif 000003
【図２】
2017124042.tif 000004
【図３】
2017124042.tif 000005
【図４】
2017124042.tif 000006
【図５】
2017124042.tif 000007
【図６】
2017124042.tif 000008
【図７】
2017124042.tif 000009
【図８】
2017124042.tif 000010
【図９】
2017124042.tif 000011
【図１０】
2017124042.tif 000012
【図１１】
2017124042.tif 000013
【図１２】
2017124042.tif 000014